(57)【特許請求の範囲】
【請求項１】
媒体を下流側へ送る送りローラーと、媒体搬送面と、を備える下部ユニットと、
前記下部ユニットとの間で媒体搬送路を形成する閉状態と前記媒体搬送面を露呈させる開状態とを切り換え可能な上部ユニットと、
を備え、
前記上部ユニットは、
前記送りローラーとの間で媒体をニップして分離する分離手段と、
前記分離手段に対して媒体搬送方向上流側に位置し、前記分離手段への前記媒体の搬送を規制する規制状態と、前記分離手段への前記媒体の搬送を許容する許容状態とを切換可能なシャッター部と、
を備え、
前記送りローラーに向けて前記分離手段を付勢する付勢手段と、
前記シャッター部が前記許容状態から前記規制状態に切換えられる際、前記付勢手段の付勢力を所定の付勢力から減少させ、前記シャッター部が前記規制状態から前記許容状態に切換えられる際、前記付勢手段の付勢力を前記所定の付勢力まで増加させる付勢力調整手段と、
駆動源により回転させられるカム部材と、前記カム部材の回転に応じて前記カム部材に対する係合状態と非係合状態とが切換えられ、少なくとも一部が前記シャッター部と係合している被係合部材と、を備え、
前記付勢力調整手段は、前記カム部材と同軸で回転する第１歯車と、前記第１歯車と噛合する第２歯車と、前記第２歯車と噛合し、前記付勢手段を押圧する押圧部材と、を備え、
前記被係合部材は、前記カム部材との前記係合状態と前記非係合状態との切換に応じて姿勢変化し、前記シャッター部の前記規制状態と前記許容状態とを切換え、
前記付勢力調整手段は、前記第１歯車及び前記第２歯車の回転に応じて前記押圧部材を変位させ、前記付勢手段の付勢力を増減させ、
前記シャッター部の前記許容状態から前記規制状態への切換に応じて、前記送りローラーに対する前記分離手段の押圧力を減少させる
ことを特徴とする媒体搬送装置。
【請求項２】
媒体を下流側へ送る送りローラーと、媒体搬送面と、を備える下部ユニットと、
前記下部ユニットとの間で媒体搬送路を形成する閉状態と前記媒体搬送面を露呈させる開状態とを切り換え可能な上部ユニットと、
を備え、
前記上部ユニットは、
前記送りローラーとの間で媒体をニップして分離する分離手段と、
前記分離手段に対して媒体搬送方向上流側に位置し、前記分離手段への前記媒体の搬送を規制する規制状態と、前記分離手段への前記媒体の搬送を許容する許容状態とを切換可能なシャッター部と、
を備え、
前記送りローラーに向けて前記分離手段を付勢する付勢手段と、
前記シャッター部が前記許容状態から前記規制状態に切換えられる際、前記付勢手段の付勢力を所定の付勢力から減少させ、前記シャッター部が前記規制状態から前記許容状態に切換えられる際、前記付勢手段の付勢力を前記所定の付勢力まで増加させる付勢力調整手段と、
駆動源により回転させられるカム部材と、前記カム部材の回転に応じて前記カム部材に対する係合状態と非係合状態とが切換えられ、一方の側が前記シャッター部と係合し、他方の側が前記付勢手段と係合している被係合部材と、
を備え、
前記被係合部材は、前記カム部材との前記係合状態と前記非係合状態との切換に応じて姿勢変化し、前記シャッター部の前記規制状態と前記許容状態とを切換え、かつ、前記付勢手段の付勢力を増減させ、
前記シャッター部の前記許容状態から前記規制状態への切換に応じて、前記送りローラーに対する前記分離手段の押圧力を減少させる
ことを特徴とする媒体搬送装置。
【請求項３】
請求項１または請求項２に記載の媒体搬送装置において、
前記シャッター部に対して搬送方向上流側に設けられた第１媒体検出部と、
前記送りローラーと前記シャッター部との間に設けられ、重送を検知する第２媒体検出部と、
を備え、
前記シャッター部は、前記第１媒体検出部および第２媒体検出部における前記媒体の検出に応じて、前記規制状態と前記許容状態とを切換える、
ことを特徴とする媒体搬送装置。
【請求項４】
請求項３に記載の媒体搬送装置において、
前記第２媒体検出部は、前記媒体の枚数の検知を行い、
前記シャッター部は、検出された前記媒体の枚数に応じて、前記許容状態から前記規制状態に切換える、
こと特徴とする媒体搬送装置。
【請求項５】
請求項１から請求項４のいずれか一項に記載の媒体搬送装置において、
前記媒体搬送面において前記シャッター部と対向する部位に設けられた凹状部を備え、
前記凹状部は、前記上部ユニットが閉状態で、かつ、前記シャッター部が規制状態であるとき、前記シャッター部の少なくとも一部を受け入れている、
ことを特徴とする媒体搬送装置。
【請求項６】
媒体を下流側へ送る送りローラーと、
前記送りローラーとの間で媒体をニップして分離する分離手段と、
前記分離手段に対して媒体搬送方向上流側に位置し、前記分離手段への前記媒体の搬送を規制する規制状態と、前記分離手段への前記媒体の搬送を許容する許容状態とを切換可能なシャッター部と、
前記送りローラーに向けて前記分離手段を付勢する付勢手段と、
前記シャッター部が前記許容状態から前記規制状態に切換えられる際、前記付勢手段の付勢力を所定の付勢力から減少させ、前記シャッター部が前記規制状態から前記許容状態に切換えられる際、前記付勢手段の付勢力を前記所定の付勢力まで増加させる付勢力調整手段と、
駆動源により回転させられるカム部材と、前記カム部材の回転に応じて前記カム部材に対する係合状態と非係合状態とが切換えられ、少なくとも一部が前記シャッター部と係合している被係合部材と、
を備え、
前記付勢力調整手段は、前記カム部材と同軸で回転する第１歯車と、前記第１歯車と噛合する第２歯車と、前記第２歯車と噛合し、前記付勢手段を押圧する押圧部材と、を備え、
前記被係合部材は、前記カム部材との前記係合状態と前記非係合状態との切換に応じて姿勢変化し、前記シャッター部の前記規制状態と前記許容状態とを切換え、
前記付勢力調整手段は、前記第１歯車及び前記第２歯車の回転に応じて前記押圧部材を変位させ、前記付勢手段の付勢力を増減させる、
ことを特徴とする媒体搬送装置。
【請求項７】
媒体を下流側へ送る送りローラーと、
前記送りローラーとの間で媒体をニップして分離する分離手段と、
前記分離手段に対して媒体搬送方向上流側に位置し、前記分離手段への前記媒体の搬送を規制する規制状態と、前記分離手段への前記媒体の搬送を許容する許容状態とを切換可能なシャッター部と、
前記送りローラーに向けて前記分離手段を付勢する付勢手段と、
前記シャッター部が前記許容状態から前記規制状態に切換えられる際、前記付勢手段の付勢力を所定の付勢力から減少させ、前記シャッター部が前記規制状態から前記許容状態に切換えられる際、前記付勢手段の付勢力を前記所定の付勢力まで増加させる付勢力調整手段と、
駆動源により回転させられるカム部材と、前記カム部材の回転に応じて前記カム部材に対する係合状態と非係合状態とが切換えられ、一方の側が前記シャッター部と係合し、他方の側が前記付勢手段と係合している被係合部材と、
を備え、
前記被係合部材は、前記カム部材との前記係合状態と前記非係合状態との切換に応じて姿勢変化し、前記シャッター部の前記規制状態と前記許容状態とを切換え、かつ、前記付勢手段の付勢力を増減させる、
ことを特徴とする媒体搬送装置。
【請求項８】
請求項１から請求項７のいずれか一項に記載の媒体搬送装置と、
前記送りローラーにより搬送される媒体を読取可能な画像読取手段と、
を備える、
ことを特徴とする画像読取装置。
【発明の詳細な説明】
【技術分野】
【０００１】
本発明は、媒体を搬送する媒体搬送装置、並びにこれを備えた画像読取装置に関する。
【背景技術】
【０００２】
従来、媒体搬送装置では、送りローラーと、該送りローラーに当接する分離ローラーとの間で媒体をニップして搬送方向下流側に送ることが行われている。ここで、分離ローラー及び送りローラーは、互いに外周面を接して半径方向に相互に所定の押圧力で押圧している。
【０００３】
そして、分離ローラーは送りローラーとの間でニップした媒体に対して搬送方向と反対方向の摩擦力を作用させる。これにより、分離ローラーは送りローラーによって複数の媒体が重なって送り出されようとした場合に、重なり合った複数の媒体を分離して重送を抑制する。このような構成を備えるものの一例として、特許文献１（特開２０１４−１３６６４４号公報）に記載の媒体供給装置がある。
【先行技術文献】
【特許文献】
【０００４】
【特許文献１】特開２０１４−１３６６４４号公報
【発明の概要】
【発明が解決しようとする課題】
【０００５】
この媒体供給装置では、ブレーキローラー（分離ローラー）が媒体の給送時以外も所定の押圧力でピックローラー（送りローラー）を押圧している。このため、ブレーキローラーあるいはピックローラーに変形が生じる虞がある。そして、ブレーキローラーあるいはピックローラーの変形により媒体の搬送速度が不規則になる虞や、ニップ状態が不安定となりブレーキローラーの摩擦力が増減する虞がある。その結果、ブレーキローラーにおける媒体の分離性や、媒体の搬送性が低下する虞がある。
【０００６】
ここで、ローラーの変形を抑制すべく、ブレーキローラーの押圧力を媒体の搬送時と媒体の非搬送時とで異なる構成とする場合、媒体搬送検出手段や、ブレーキローラーの押圧力を切り換える切換手段、検出手段と切換手段とを連動させる連動手段等を備える必要があり、装置構成が複雑化する虞がある。
【０００７】
本発明は、上記問題点に鑑みてなされたもので、分離手段の変形を抑制し、かつ装置構成を簡素化できる媒体搬送装置を提供することを目的とする。
【課題を解決するための手段】
【０００８】
上記課題を達成するため、本発明の第１の態様の媒体搬送装置は、媒体を下流側へ送る送りローラーと、前記送りローラーとの間で媒体をニップして分離する分離手段と、前記分離手段に対して媒体搬送方向上流側に位置し、前記分離手段への前記媒体の搬送を規制する状態と、前記分離手段への前記媒体の搬送を許容する状態とを切換可能なシャッター部と、を備え、前記シャッター部の前記許容状態から前記規制状態への切換に応じて、前記送りローラーに対する前記分離手段の押圧力を減少させることを特徴とする。
【０００９】
本態様における「分離手段の押圧力を減少させる」とは、送りローラーに作用する分離手段の押圧力がゼロの状態も含んでいる。
【００１０】
本態様によれば、前記シャッター部の切換に応じて前記分離手段の押圧力を減少させる。すなわち、前記シャッター部の動作に前記分離手段を連動させるので、前記媒体の搬送に応じて、前記分離手段と前記シャッター部とをそれぞれ別に動作させる必要がなく、装置構成を簡素化できる。また、前記シャッター部の前記許容状態から前記規制状態への切換に応じて、前記送りローラーに対する前記分離手段の押圧力を減少させるので、前記媒体の非搬送時における前記分離手段に作用する力を低減でき、前記分離手段の変形を抑制できる。これにより、前記分離手段における前記媒体の分離性の低下を抑制でき、あるいは前記送りローラーと前記分離手段との間のニップ状態を安定させて前記媒体の搬送性の低下を抑制できる。またはこれら双方の効果を得られる。
【００１１】
本発明の第２の態様の媒体搬送装置は、第１の態様において、前記送りローラーに向けて前記分離手段を付勢する付勢手段と、前記シャッター部が前記許容状態から前記規制状態に切換えられる際、前記付勢手段の付勢力を所定の付勢力から減少させ、前記シャッター部が前記規制状態から前記許容状態に切換えられる際、前記付勢手段の付勢力を前記所定の付勢力まで増加させる付勢力調整手段とを備えることを特徴とする。
【００１２】
本態様によれば、前記付勢力調整手段は、前記分離手段を付勢する前記付勢手段の付勢力を前記シャッター部の動作に応じて増減できるので、前記付勢力調整手段は媒体の搬送に応じて前記付勢手段を介して前記分離手段の押圧力を増減できる。すなわち、簡易な構成で前記分離手段の押圧力を調整できるので、前記媒体搬送装置における装置構成を簡素化できる。
【００１３】
本発明の第３の態様の媒体搬送装置は、第１の態様において、前記シャッター部が前記許容状態から前記規制状態に切換えられる際、前記分離手段を前記送りローラーから離間させて前記ニップ状態を解消し、前記シャッター部が前記規制状態から前記許容状態に切換えられる際、前記分離手段を前記送りローラーと接触させて前記ニップ状態を形成する切換手段を備えることを特徴とする。
【００１４】
本態様によれば、前記切換手段は、前記シャッター部が前記許容状態から前記規制状態に切換えられる際、前記分離手段を前記送りローラーから離間させて前記ニップ状態を解消し、前記シャッター部が前記規制状態から前記許容状態に切換えられる際、前記分離手段を前記送りローラーと接触させて前記ニップ状態を形成する。すなわち、前記切換手段は、媒体の非搬送時において前記送りローラーと前記分離手段とを離間させる。そして、離間状態における前記分離手段には押圧力が作用しないので、前記分離手段の変形をより確実に抑制できる。
【００１５】
本発明の第４の態様の媒体搬送装置は、第１から第３のいずれか一の態様において、前記シャッター部に対して搬送方向上流側に設けられた媒体検出部を備え、前記シャッター部は、前記媒体検出部における前記媒体の検出に応じて、前記規制状態と前記許容状態とを切換えることを特徴とする。
【００１６】
本態様によれば、媒体搬送装置において、上述した第１から第３の態様のいずれかと同様な作用効果を得ることができる。
【００１７】
本発明の第５の態様の媒体搬送装置は、第１から第４のいずれか一の態様において、駆動源により回転させられるカム部材と、前記カム部材の回転に応じて前記カム部材に対する係合状態と非係合状態とが切換えられ、少なくとも一部が前記シャッター部と係合している被係合部材と、を備え、前記被係合部材は、前記カム部材との係合状態と非係合状態との切換に応じて、前記シャッター部の前記規制状態と前記許容状態とを切換えることを特徴とする。
【００１８】
本態様によれば、前記被係合部材は、前記カム部材との係合状態と非係合状態との切換に応じて、前記シャッター部の前記規制状態と前記許容状態とを切換えるので、前記シャッター部の状態切換えを確実に行うことができる。
【００１９】
本発明の第６の態様の媒体搬送装置は、第２の態様において、駆動源により回転させられるカム部材と、前記カム部材の回転に応じて前記カム部材に対する係合状態と非係合状態とが切換えられ、少なくとも一部が前記シャッター部と係合している被係合部材と、を備え、前記付勢力調整手段は、前記カム部材と同軸で回転する第１歯車と、前記第１歯車と噛合する第２歯車と、前記第２歯車と噛合し、前記付勢手段を押圧する押圧部材と、を備え、前記被係合部材は、前記カム部材との係合状態と非係合状態との切換に応じて姿勢変化し、前記シャッター部の前記規制状態と前記許容状態とを切換え、前記付勢力調整手段は、前記第１歯車及び前記第２歯車の回転に応じて前記押圧部材を変位させ、前記付勢手段の付勢力を増減させることを特徴とする。
【００２０】
本態様によれば、前記シャッター部及び前記付勢力調整手段は前記カム部材が駆動されることにより動作することから、単一の駆動源で駆動させることができ、装置の構成を簡素化できる。
【００２１】
本発明の第７の態様の媒体搬送装置は、第２の態様において、駆動源により回転させられるカム部材と、前記カム部材の回転に応じて前記カム部材に対する係合状態と非係合状態とが切換えられ、一方の側が前記シャッター部と係合し、他方の側が前記付勢手段と係合している被係合部材と、を備え、前記被係合部材は、前記カム部材との係合状態と非係合状態との切換に応じて姿勢変化し、前記シャッター部の前記規制状態と前記許容状態とを切換え、かつ、前記付勢手段の付勢力を増減させることを特徴とする。
【００２２】
本態様によれば、被係合部材の動作により前記シャッター部の動作及び前記付勢手段の付勢力の増減を制御でき、媒体搬送装置の構造を簡素化できる。
【００２３】
本発明の第８の態様の媒体搬送装置は、第１から第７のいずれか一の態様において、前記分離手段より搬送方向上流側に延びる媒体搬送面と、前記媒体搬送面において前記シャッター部と対向する部位に設けられた凹状部と、を備え、前記凹状部は、前記規制状態における前記シャッター部の少なくとも一部を受け入れていることを特徴とする。
【００２４】
本態様によれば、前記凹状部は前記規制状態における前記シャッター部の少なくとも一部を受け入れているので、前記規制状態において、前記媒体が前記送りローラーと前記分離手段とのニップ点に向けて入り込むことを前記シャッター部が確実に規制できる。
【００２５】
本発明の第９の態様の画像読取装置は、第１から第８のいずれか一の態様における媒体搬送装置と、前記送りローラーにより搬送される媒体を読取可能な画像読取手段と、を備えることを特徴とする。
【図面の簡単な説明】
【００２６】
【図１】本発明に係る画像読取装置を示す外観斜視図。
【図２】本発明に係る画像読取装置における給送状態を示す斜視図。
【図３】本発明に係る画像読取装置において上部ユニットを下部ユニットに対して開状態とした場合の斜視図。
【図４】本発明に係る画像読取装置における給送経路を示す側断面図。
【図５】第１の実施例におけるシャッターの規制状態を示す側断面図。
【図６】第１の実施例におけるシャッターの許容状態を示す側断面図。
【図７】第１の実施例における付勢力調整手段における媒体非搬送時の状態を示す側断面図。
【図８】第１の実施例における付勢力調整手段における媒体搬送時の状態を示す側断面図。
【図９】第１の実施例におけるシャッター及び付勢力調整手段の動作のフローチャート図。
【図１０】第２の実施例における付勢力調整手段における媒体非搬送時の状態を示す側断面図。
【図１１】第２の実施例における付勢力調整手段における媒体搬送時の状態を示す側断面図。
【図１２】第３の実施例における切換手段における媒体非搬送時の状態を示す側断面図。
【図１３】第３の実施例における切換手段における媒体搬送時の状態を示す側断面図。
【発明を実施するための形態】
【００２７】
以下、本発明の実施の形態を図面に基づいて説明する。尚、各実施例において同一の構成については、同一の符号を付し、最初の実施例においてのみ説明し、以後の実施例においてはその構成の説明を省略する。
【００２８】
図１は本発明に係る画像読取装置を示す外観斜視図であり、図２は本発明に係る画像読取装置における給送状態を示す斜視図であり、図３は本発明に係る画像読取装置において上部ユニットを下部ユニットに対して開状態とした場合の斜視図であり、図４は本発明に係る画像読取装置における給送経路を示す側断面図であり、図５は第１の実施例におけるシャッターの規制状態を示す側断面図であり、図６は第１の実施例におけるシャッターの許容状態を示す側断面図であり、図７は第１の実施例における付勢力調整手段における媒体非搬送時の状態を示す側断面図である。
【００２９】
また、図８は第１の実施例における付勢力調整手段における媒体搬送時の状態を示す側断面図であり、図９は第１の実施例におけるシャッター及び付勢力調整手段の動作のフローチャート図であり、図１０は第２の実施例における付勢力調整手段における媒体非搬送時の状態を示す側断面図であり、図１１は第２の実施例における付勢力調整手段における媒体搬送時の状態を示す側断面図であり、図１２は第３の実施例における切換手段における媒体非搬送時の状態を示す側断面図であり、図１３は第３の実施例における切換手段における媒体搬送時の状態を示す側断面図である。
【００３０】
また、各図において示すＸ−Ｙ−Ｚ座標系はＸ方向が装置幅方向であるとともに用紙幅方向、Ｙ方向が画像読取装置における用紙搬送方向、Ｚ方向がＹ方向と直交する方向であり、概ね搬送される用紙の面と直交する方向を示している。尚、各図において−Ｙ方向側を装置前面側とし、＋Ｙ方向側を装置背面側とする。
【００３１】
■■■第１の実施例■■■■
＜＜＜画像読取装置の概要＞＞＞
図１ないし図３を参照して「媒体搬送装置」の一例である画像読取装置１０について説明する。本実施例において画像読取装置１０は、用紙Ｐの表面及び裏面の少なくとも一面を読み取り可能なドキュメントスキャナーとして構成されている。画像読取装置１０は、下部ユニット１２と、上部ユニット１４と、カバー部１６と、排紙トレイ１８とを備えている。
【００３２】
上部ユニット１４は下部ユニット１２に対して用紙搬送方向下流側を回動支点として回動可能に下部ユニット１２に取り付けられている。上部ユニット１４は、下部ユニット１２に対して閉じて下部ユニット１２とともに用紙Ｐの搬送経路を構成する閉状態（図２参照）と、下部ユニット１２に対して装置前面側に回動して用紙Ｐの搬送経路を露呈させて用紙Ｐの紙詰まりの処理を容易に行うことができる開状態（図３参照）とを取り得る。
【００３３】
下部ユニット１２の背面側の上部にはカバー部１６が設けられている。カバー部１６は、下部ユニット１２に対して回動可能に下部ユニット１２に取り付けられている。カバー部１６は、図１に示すように上部ユニット１４の上部及び給送口２０（図２及び図４参照）を覆う非給送状態と、図２に示すように非給送状態から装置背面側に回動し、給送口２０を開放するとともにカバー部１６の裏面１６ａが「媒体」としての用紙Ｐの載置部２２を構成する給送可能状態とを取り得る。
【００３４】
また、カバー部１６を非給送状態から給送可能状態へと変化させると上部ユニット１４の上部に設けられた操作部２３が露呈する。ユーザーが操作部２３を操作することにより、画像読取装置１０における用紙Ｐの給送、画像読取動作が実行される。本実施例において、操作部２３には、一例として画像読取装置１０の電源をオン状態またはオフ状態に切り換える電源ボタン、載置部２２に載置された用紙Ｐの給送及び画像読取動作を開始する給送開始ボタン等が設けられている。
【００３５】
また、下部ユニット１２の装置前面側には用紙Ｐを排出する排出口２４が設けられている。また、下部ユニット１２は、排出口２４から装置前方側に向けて引き出し可能な排紙トレイ１８を備えている。排紙トレイ１８は、下部ユニット１２の底部に収納された状態（図１参照）と、装置前面側に引き出された状態（図２参照）とを取り得る。また、本実施例において排紙トレイ１８は複数のトレイ部材を連結して構成されており、排出される用紙Ｐの長さに応じて、排出口２４からの引き出し長さを調整可能である。
【００３６】
＜＜＜画像読取装置における給送経路について＞＞＞
次いで、図４を参照して、画像読取装置１０における用紙搬送経路２６について説明する。下部ユニット１２に対して装置背面側に回動した姿勢にあるカバー部１６の裏面１６ａに設けられた載置部２２に用紙Ｐが載置される。載置部２２に載置された用紙Ｐは、下部ユニット１２に対して回転可能に設けられた第１給送ローラー２８により給送方向下流側に給送される。
【００３７】
また、用紙搬送経路２６において第１給送ローラー２８の上流側、すなわち、載置部２２と第１給送ローラー２８との間に「媒体検出部」としての第１用紙検出部３０が設けられている。本実施例において第１用紙検出部３０は用紙搬送経路２６に対して進退可能なレバー部材３０ａ（図５参照）を備えている。レバー部材３０ａが用紙により押圧されると、後述する制御部５０に検出信号を送信する。尚、図４において符号３０が付された黒三角マークは、第１用紙検出部３０を模式的に示している。
【００３８】
また、本実施例において第１給送ローラー２８の給送方向下流側には、重送検出センサー３２が設けられている。本実施例において重送検出センサー３２は、スピーカー部とマイク部を備える超音波センサーとして構成されている。また、重送検出センサー３２は、スピーカー部から用紙搬送経路２６を通る用紙Ｐに向けて超音波を発振し、用紙Ｐからの反射音をマイク部で検出するように構成されている。
【００３９】
本実施例において重送検出センサー３２は、反射音の周波数により用紙Ｐの重送を検知するだけでなく、厚紙等の紙種も検出可能に構成されている。また、本実施例において重送検出センサー３２は、用紙Ｐからの反射音の有無により、用紙Ｐの先端が通過したこと、及び用紙Ｐの後端が通過したことを検出可能に構成されている。そして、重送検出センサー３２は、用紙の検出信号を後述する制御部５０に送信する。尚、図４において符号３２が付された黒三角マークは、重送検出センサー３２を模式的に示している。
【００４０】
また、重送検出センサー３２の下流側には、下部ユニット１２に「送りローラー」としての第２給送ローラー３４が回転可能に設けられ、上部ユニット１４に「分離手段」としての分離ローラー３６が回転可能に設けられている。尚、本実施例において分離ローラー３６には所定の回転抵抗が与えられている。そして、第１給送ローラー２８により給送された複数の用紙Ｐは、分離ローラー３６により分離され、第２給送ローラー３４と接している用紙Ｐのみが第２給送ローラー３４と分離ローラー３６とにニップされて給送方向下流側に給送される。
【００４１】
第２給送ローラー３４の給送方向下流側には搬送ローラー対３８、「画像読取手段」としての画像読取部４０及び排出ローラー対４２が設けられている。第２給送ローラー３４及び分離ローラー３６によりニップされて給送方向下流側に給送された用紙Ｐは搬送ローラー対３８にニップされて、搬送ローラー対３８の下流側に位置する画像読取部４０に搬送される。
【００４２】
尚、搬送ローラー対３８は下部ユニット１２に設けられた搬送駆動ローラー３８ａと、上部ユニット１４に設けられ、搬送駆動ローラー３８ａに対して従動回転する搬送従動ローラー３８ｂを備えている。
【００４３】
また、用紙搬送経路２６において搬送ローラー対３８の上流側、すなわち、第２給送ローラー３４と搬送ローラー対３８との間に第２用紙検出部４４（図４参照）が設けられている。第２用紙検出部４４は、一例として用紙搬送経路２６に対して進退可能なレバー部材（不図示）を備えている。レバー部材が用紙搬送経路２６に沿って搬送されてきた用紙により押圧されると、後述する制御部５０に検出信号を送信する。尚、図４において符号４４が付された黒三角マークは、第２用紙検出部４４を模式的に示している。
【００４４】
画像読取部４０は、上部ユニット１４側に設けられた上部画像読取センサー４６と、下部ユニット１２側に設けられた下部画像読取センサー４８とを備えている。本実施例において、上部画像読取センサー４６及び下部画像読取センサー４８は一例として密着型イメージセンサーモジュール（ＣＩＳＭ）として構成されている。
【００４５】
用紙Ｐは、画像読取部４０において用紙Ｐの表面及び裏面の少なくとも一方の面の画像を読み取られた後、画像読取部４０の搬送方向下流側に位置する排出ローラー対４２にニップされて排出口２４から排紙トレイ１８に向けて排出される。尚、図４における一点鎖線は用紙Ｐの給送経路を示している。
【００４６】
また、本実施例において排出ローラー対４２は下部ユニット１２に設けられた排出駆動ローラー４２ａと、上部ユニット１４に設けられ、排出駆動ローラー４２ａに対して従動回転する排出従動ローラー４２ｂを備えている。
【００４７】
また、本実施例において第１給送ローラー２８、第２給送ローラー３４、搬送駆動ローラー３８ａ及び排出駆動ローラー４２ａは、下部ユニット１２内に設けられた少なくとも１つの駆動源（不図示）により回転駆動させられる。
【００４８】
また、本実施例において下部ユニット１２内には制御部５０が設けられている。本実施例において制御部５０は、複数の電子部品を備える電気回路として構成されている。制御部５０は、上部画像読取センサー４６、下部画像読取センサー４８、後述する駆動モーター６０及び前記駆動源を制御している。また、制御部５０は、第１用紙検出部３０、重送検出センサー３２及び第２用紙検出部４４の用紙Ｐの検出情報に基づいて後述するシャッター５４及び分離ローラー３６の押圧力を調整する。
【００４９】
また、制御部５０は画像読取装置１０における用紙Ｐの搬送及び画像読取動作を制御するように構成されている。また、制御部５０は外部（ＰＣなど）からの指示で画像読取装置１０における原稿読取動作の実行に必要な動作を制御してもよい。
【００５０】
＜＜＜シャッター部及び付勢力調整手段について＞＞＞
次いで、図５ないし図８を参照して、用紙搬送経路２６における用紙Ｐの搬送規制状態と搬送許容状態について説明する。図５及び図７は用紙搬送経路２６における用紙Ｐの搬送規制状態を示しており、図６及び図８は用紙搬送経路２６における用紙Ｐの搬送許容状態を示している。また、図５及び図６において用紙Ｐは紙面右側から左側へ向けて搬送される。尚、図５及び図６において用紙Ｐの図示を省略している。
【００５１】
また、図３を参照するに下部ユニット１２には「媒体搬送面」を形成する経路形成部材５２が設けられている。経路形成部材５２は、下部ユニット１２に対して上部ユニット１４が閉状態である場合、用紙搬送経路２６の一部を構成する。
【００５２】
本実施例において用紙Ｐの搬送方向において載置部２２の下流側、より具体的には経路形成部材５２に第１用紙検出部３０が設けられている。本実施例において、第１用紙検出部３０はレバー部材３０ａを備えており、レバー部材３０ａは経路形成部材５２に対して揺動可能に構成されている。本実施例において、載置部２２に用紙Ｐが載置されていない場合、レバー部材３０ａは経路形成部材５２から突出した姿勢を取る（図５参照）。
【００５３】
載置部２２に用紙Ｐが載置されると、レバー部材３０ａは用紙Ｐにより経路形成部材５２に向けて押し込まれる（図６参照）。そして、レバー部材３０ａが経路形成部材５２に押し込まれた状態となると、第１用紙検出部３０は用紙Ｐを検出し、その検出情報を制御部５０に送信する。
【００５４】
また、用紙搬送経路２６において、第１給送ローラー２８の搬送方向下流側には、「シャッター部」としてのシャッター５４が設けられている。そして、シャッター５４の搬送方向下流側には、第２給送ローラー３４と分離ローラー３６とが設けられている。
【００５５】
また、経路形成部材５２には、用紙Ｐの搬送方向においてシャッター５４と対向する位置にＺ軸方向下方側に凹んだ凹状部５６が設けられている。ここで、シャッター５４は図５に示すようにシャッター５４の下端が凹状部５６に受け入れられている状態（図５参照）、すなわち規制状態と、凹状部５６から離間し、Ｚ軸方向上方側に退避する状態（図６参照）、すなわち許容状態とを切換え可能に構成されている。ここで、シャッター５４の規制状態とは、載置部２２から用紙Ｐの搬送を規制する状態であり、シャッター５４の許容状態とは、載置部２２から用紙Ｐの搬送を許容する状態である。
【００５６】
また、本実施例において、シャッター５４が規制状態となる場合、シャッター５４の下端が経路形成部材５２における用紙搬送面よりもＺ軸方向下方側に位置するので、シャッター５４が用紙搬送経路２６を遮る状態となる。
【００５７】
さらに、図７及び図８を参照して説明を続ける。本実施例においてシャッター５４は、被係合部材５８と係合している。シャッター５４には係合部５４ａが形成されている。係合部５４ａには、被係合部材５８の一端部５８ａが受け入れられ、一端部５８ａと係合している。ここで、シャッター５４と被係合部材５８とは相対的に回動可能に構成されている。
【００５８】
また、本実施例において被係合部材５８の他端部５８ｂは、上部ユニット１４に回動可能に取り付けられている。すなわち、本実施例において被係合部材５８は、他端部５８ｂを中心に上部ユニット１４に対して揺動可能な揺動部材として構成されている。
【００５９】
また、上部ユニット１４には、制御部５０により回転駆動が制御される駆動モーター６０が設けられている。駆動モーター６０の駆動軸には、第１歯車６２が取り付けられている。第１歯車６２は駆動モーター６０の回転に応じて回転する。また、第１歯車６２の側面には「カム部材」としてのカム６４が一体に設けられている。
【００６０】
第１歯車６２が駆動モーター６０により回転させられると、カム６４も第１歯車６２の周方向に移動する。そして、カム６４は、被係合部材５８と離間した状態（図７参照）から被係合部材５８と接触して係合した状態（図８参照）となる。
【００６１】
ここで、図７に示すように、カム６４が被係合部材５８と離間した状態では、被係合部材５８は一端部５８ａと係合しているシャッター５４の自重でＺ軸下方側かつ搬送方向上流側に斜めに延びた状態となっている。すなわち、シャッター５４の下端が凹状部５６と接触する状態、すなわちシャッター５４は規制状態となる。
【００６２】
次いで、第１歯車６２を図７における時計回り方向に回転させて、カム６４を被係合部材５８と接触させる。この接触により、被係合部材５８はカム６４により持ち上げられ、他端部５８ｂを中心軸として図８における反時計回り方向に回動する。被係合部材５８の回動により、シャッター５４は被係合部材５８の一端部５８ａにより図８におけるＺ軸方向上方側に持ち上げられる。そして、シャッター５４の下端が凹状部５６から離間し、シャッター５４は規制状態から許容状態へ切換えられる。
【００６３】
次いで、本実施例における付勢力調整手段６６について説明する。本実施例において付勢力調整手段６６は、第１歯車６２と、第２歯車６８と、押圧部材７０とを備えている。また、分離ローラー３６には、当該分離ローラーを第２給送ローラー３４に向けて付勢する付勢手段７２の一端が取り付けられている。付勢手段７２の他端は、押圧部材７０に取り付けられている。尚、本実施例において付勢手段７２は、圧縮ばねとして構成されている。
【００６４】
第２歯車６８は第１歯車６２と噛合している。また、押圧部材７０は、その一部がラック状に形成されており、ラック部分が第２歯車６８と噛合している。そして、本実施例において押圧部材７０は、第２歯車６８によりラック部分が駆動されると、Ｚ軸方向に移動する。すなわち、第２歯車６８はピニオンとして機能し、第２歯車６８と押圧部材７０のラック部分とはラックアンドピニオンを構成している。
【００６５】
図７において、第１歯車６２が駆動モーター６０により時計回り方向に回転すると、第１歯車６２と噛合する第２歯車６８は、反時計回り方向に回転する。第２歯車６８の回転により押圧部材７０はＺ軸方向下方側に移動させられる。つまり、押圧部材７０は付勢手段７２を押圧する。
【００６６】
より具体的には、図７における状態、すなわちシャッター５４が規制状態の場合、付勢手段７２の長さはＬ１に設定されている。この状態では、付勢手段７２は、所定の付勢力以下の付勢力で分離ローラー３６を付勢している。したがって、シャッター５４が規制状態である場合、分離ローラー３６には所定の付勢力以下の付勢力が作用するので、第２給送ローラー３４に対する分離ローラー３６の押圧力が小さくなる。
【００６７】
これに対し、図８に示すように押圧部材７０がＺ軸方向下方側に変位すると、押圧部材７０が付勢手段７２を押圧して、付勢手段７２の長さがＬ１からＬ２へ変化し、付勢手段７２の長さが短くなる。つまり、付勢手段７２における付勢力が増加する。本実施例では、付勢手段７２の長さがＬ２となった場合、付勢手段７２における付勢力が所定の付勢力となるように設定されている。尚、所定の付勢力とは、分離ローラー３６と第２給送ローラー３４とが接触してニップ状態を形成している場合において、分離ローラー３６が複数の用紙Ｐを分離可能な押圧力を得られるように設定されている。
【００６８】
そして、シャッター５４が規制状態から許容状態に切り換わると、押圧部材７０が付勢手段７２の長さをＬ１からＬ２へ変位させて、付勢手段７２の付勢力を所定の付勢力まで増加させる。つまり、シャッター５４が規制状態にある場合、付勢手段７２の付勢力は付勢力調整手段６６により所定の付勢力から減少させられ、シャッター５４が許容状態にある場合、付勢手段７２の付勢力は付勢力調整手段６６により所定の付勢力まで増加させられる。
【００６９】
また、本実施例では、第１歯車６２とカム６４とを同軸で回転させることにより、シャッター５４の状態切換えと、付勢手段７２の付勢力の増減を連動させることができる。
【００７０】
次いで、図９を参照して、シャッター５４の状態切換え及び付勢手段７２の付勢力の調整の流れを説明する。ステップＳ１として載置部２２に用紙Ｐを載置する。そして、載置部２２に用紙Ｐが載置されると、ステップＳ２として第１用紙検出部３０が用紙Ｐを検出する。そして、第１用紙検出部３０は制御部５０に向けて用紙Ｐの検出情報を送信する。
【００７１】
次いで、ステップＳ３として、制御部５０は用紙Ｐの検出情報に基づいて駆動モーター６０を正転させる。尚、正転とは、図７及び図８における時計回り方向への回転を意味し、逆転とは反時計回り方向への回転を意味している。これにより、ステップＳ４として、第１歯車６２及びカム６４が正転させられ、シャッター５４が規制状態から許容状態に切換えられるとともに第２歯車６８を介して押圧部材７０がＺ軸方向下方側に変位して、付勢手段７２を押圧し、付勢手段７２の付勢力は所定の付勢力まで増加させられる。
【００７２】
そして、ステップＳ５として第１給送ローラー２８、第２給送ローラー３４、搬送駆動ローラー３８ａ及び排出駆動ローラー４２ａをそれぞれ回転駆動させて、用紙Ｐの搬送を開始し、画像読取部４０において用紙Ｐの画像を読み取る。
【００７３】
次いで、ステップＳ６として、分離ローラー３６の用紙搬送方向上流側において重送検出センサー３２により搬送されてきた用紙Ｐの枚数の検出を行う。用紙Ｐが複数枚検出された場合、ステップＳ７として用紙Ｐの搬送及び画像読取動作を継続する。そして、検出された用紙Ｐが残り一枚となった場合、ステップＳ８として第１用紙検出部３０において用紙Ｐが非検出状態となったか否かを確認する。第１用紙検出部３０において用紙Ｐが検出状態であるときは、ステップＳ９として用紙Ｐの搬送及び画像読取動作を継続する。
【００７４】
第１用紙検出部３０において用紙Ｐが非検出状態となった場合、ステップＳ１０として制御部５０は、所定の時間経過後に駆動モーター６０を逆転させる。これによりステップＳ１１として、第１歯車６２及びカム６４が逆転させられ、シャッター５４が許容状態から規制状態に切換えられるとともに第２歯車６８を介して押圧部材７０が付勢手段７２を押圧する方向と反対方向に変位させられ、付勢手段７２の付勢力を所定の付勢力から減少させる。尚、本実施例において所定の時間とは、第２給送ローラー３４から搬送ローラー対３８まで用紙Ｐの先端が搬送される時間に設定されている。そして、ステップＳ１２として用紙Ｐが排出ローラー対４２を通過した後、用紙Ｐの搬送動作及び画像読取動作を停止させる。
【００７５】
＜＜＜第１の実施例の変更例＞＞＞
（１）本実施例において、シャッター５４の規制状態から許容状態への切換え及び付勢手段７２の付勢力の所定の付勢力までの増加を第１用紙検出部３０の検出情報を動作開始のトリガーとして行う様に構成したが、この構成に代えて、第１用紙検出部３０において用紙Ｐを検出した後、ユーザーが操作部２３における搬送開始ボタンを押すことを動作開始のトリガーとしてもよい。
（２）また、重送検出センサー３２において検出された複数の用紙Ｐの残り枚数が一枚となり、さらに第２用紙検出部４４において用紙Ｐの先端が検出された場合、分離ローラー３６により用紙Ｐを分離させる必要がなくなるので、駆動モーター６０を逆転させて、付勢手段７２の付勢力を減少させる構成としてもよい。
【００７６】
■■■第２の実施例■■■■
次いで、図１０及び図１１を参照して、付勢力調整手段７４の第２の実施例について説明する。第２の実施例は、付勢力調整手段７４が被係合部材７６のみで構成されている点で第１の実施例と相違する。
【００７７】
本実施例において、駆動モーター６０の駆動軸にはカム部材７８が取り付けられている。カム部材７８には、側面にカム８０が設けられている。また、本実施例において被係合部材７６は、「一方の側」としての一端部７６ａがシャッター５４の係合部５４ａと係合している。また、被係合部材７６において「他方の側」としての他端部７６ｂは付勢手段７２と係合している。また、本実施例において被係合部材７６の一端部７６ａと他端部７６ｂとの間には揺動軸７６ｃが設けられている。被係合部材７６は、上部ユニット１４に揺動軸７６ｃを中心として揺動可能に取り付けられている。
【００７８】
図１０に示すように、カム８０が被係合部材７６と離間した状態では、シャッター５４は規制状態を取っている。また、この状態において、分離ローラー３６を付勢する付勢手段７２の長さはＬ３に設定されている。つまり、付勢手段７２の付勢力が所定の付勢力よりも小さくなるように設定されている。
【００７９】
制御部５０が駆動モーター６０を正転駆動させると、カム部材７８が正転（図１０及び図１１における時計回り方向への回転）し、カム８０と被係合部材７６とが係合する。そして、被係合部材７６は揺動軸７６ｃを中心に図１０における反時計回り方向に揺動する。この動作により、シャッター５４は規制状態から許容状態に切り換わる。
【００８０】
また、この動作により、被係合部材７６の他端部７６ｂは付勢手段７２を押圧する。そして、他端部７６ｂの押圧により、付勢手段７２の長さがＬ３からＬ４へ変化し、付勢手段７２の長さが短くなる。つまり、付勢手段７２における付勢力が増加する。本実施例では、付勢手段７２の長さがＬ４となった場合、付勢手段７２における付勢力が所定の付勢力となるように設定されている。
【００８１】
また、カム８０が被係合部材７６と係合した状態で、駆動モーター６０を逆転（図１０及び図１１における反時計回り方向への回転）させると、シャッター５４は許容状態から規制状態へと切換えられる。また、被係合部材７６の他端部７６ｂは付勢手段７２を押圧する方向と反対方向に変位する。これにより、付勢手段７２の長さがＬ４からＬ３に変化し、付勢手段７２の長さが長くなり、付勢力が減少する。つまり、分離ローラー３６の第２給送ローラー３４への押圧力が減少する。
【００８２】
■■■第３の実施例■■■■
次いで、図１２及び図１３を参照して、第３の実施例について説明する。本実施例では、シャッター５４の状態切換えに連動して、第２給送ローラー３４に対して分離ローラー３６を第２給送ローラー３４に接離する方向に変位させる点で第１の実施例と相違する。
【００８３】
本実施例において、駆動モーター６０の駆動軸にはカム部材７８が取り付けられている。カム部材７８には、側面にカム８０が設けられている。また、本実施例において、画像読取装置１０は、切換手段８２を備えている。切換手段８２は、分離ローラー３６を第２給送ローラー３４に対して第２給送ローラー３４に接離する方向に変位させるよう構成されている。具体的には、切換手段８２は、被係合部材７６と、ローラー変位部材８４とを備えている。
【００８４】
本実施例において被係合部材７６は、一端部７６ａがシャッター５４の係合部５４ａと係合している。また、被係合部材７６において他端部７６ｂはローラー変位部材８４の一端と接続されている。また、本実施例において被係合部材７６の一端部７６ａと他端部７６ｂとの間には揺動軸７６ｃが設けられている。被係合部材７６は、上部ユニット１４に揺動軸７６ｃを中心として揺動可能に取り付けられている。また、ローラー変位部材８４の他端は分離ローラー３６の回転軸に取り付けられている。
【００８５】
図１２において制御部５０が駆動モーター６０を正転駆動させると、カム部材７８が正転（図１２及び図１３における時計回り方向への回転）し、カム８０と被係合部材７６とが係合する（図１３参照）。そして、被係合部材７６は揺動軸７６ｃを中心に図１２における反時計回り方向に揺動する。この動作により、シャッター５４は規制状態（図１２参照）から許容状態（図１３参照）に切り換わる。
【００８６】
そして、被係合部材７６が反時計回り方向に揺動すると、他端部７６ｂに接続されたローラー変位部材８４及び分離ローラー３６が、第２給送ローラー３４に向けて変位する。そして、分離ローラー３６が第２給送ローラー３４と接触し、分離ローラー３６と第２給送ローラー３４との間でニップ状態が形成される。
【００８７】
つまり、シャッター５４が規制状態から許容状態に切り換わると、分離ローラー３６も第２給送ローラー３４から離間した状態から第２給送ローラー３４と接触してニップ状態が形成される状態に切り換わる。
【００８８】
また、図１３においてカム８０と被係合部材７６とが係合した状態からカム部材７８を逆転（図１２及び図１３における反時計周り方向への回転）させると、被係合部材７６は揺動軸７６ｃを中心に時計回り方向に揺動し、シャッター５４を許容状態から規制状態に切換える。また、被係合部材７６の揺動により、分離ローラー３６は第２給送ローラー３４から離間する。
【００８９】
＜＜＜第３の実施例の変更例＞＞＞
本実施例において、分離ローラー３６をローラー変位部材８４により第２給送ローラー３４に対して接離する方向に変位させる構成としたが、この構成に代えて、引っ張りばね等を用いて、分離ローラー３６を第２給送ローラー３４に対して接触する状態と離間する状態とを切換えられるように構成してもよい。
【００９０】
上記説明をまとめると媒体搬送装置の一例である画像読取装置１０は、用紙Ｐを下流側へ送る第２給送ローラー３４と、第２給送ローラー３４との間で用紙Ｐをニップして分離する分離ローラー３６と、分離ローラー３６に対して用紙搬送方向上流側に位置し、分離ローラー３６への用紙Ｐの搬送を規制する状態と、分離ローラー３６への用紙Ｐの搬送を許容する状態とを切換可能なシャッター５４と、を備え、シャッター５４の許容状態から規制状態への切換に応じて、第２給送ローラー３４に対する分離ローラー３６の押圧力を減少させる。
【００９１】
上記構成によれば、シャッター５４の切換に応じて分離ローラー３６の押圧力を減少させる。すなわち、シャッター５４の動作に分離ローラー３６を連動させるので、用紙Ｐの搬送に応じて、分離ローラー３６とシャッター５４とをそれぞれ別に動作させる必要がなく、装置構成を簡素化できる。また、シャッター５４の許容状態から規制状態への切換に応じて、第２給送ローラー３４に対する分離ローラー３６の押圧力を減少させるので、用紙Ｐの非搬送時における分離ローラー３６に作用する力を低減でき、分離ローラー３６の変形を抑制できる。これにより、分離ローラー３６における用紙Ｐの分離性の低下を抑制でき、あるいは第２給送ローラー３４と分離ローラー３６との間のニップ状態を安定させて用紙Ｐの搬送性の低下を抑制できる。またはこれら双方の効果を得られる。
【００９２】
また、画像読取装置１０は、第２給送ローラー３４に向けて分離ローラー３６を付勢する付勢手段７２と、シャッター５４が許容状態から規制状態に切換えられる際、付勢手段７２の付勢力を所定の付勢力から減少させ、シャッター５４が規制状態から許容状態に切換えられる際、付勢手段７２の付勢力を所定の付勢力まで増加させる付勢力調整手段６６、７４とを備えている。
【００９３】
上記構成によれば、付勢力調整手段６６、７４は、分離ローラー３６を付勢する付勢手段７２の付勢力をシャッター５４の動作に応じて増減できるので、付勢力調整手段６６、７４は用紙Ｐの搬送に応じて付勢手段７２を介して分離ローラー３６の押圧力を増減できる。すなわち、簡易な構成で分離ローラー３６の押圧力を調整できるので、画像読取装置１０における装置構成を簡素化できる。
【００９４】
また、画像読取装置１０は、シャッター５４が許容状態から規制状態に切換えられる際、分離ローラー３６を第２給送ローラー３４から離間させてニップ状態を解消し、シャッター５４が規制状態から許容状態に切換えられる際、分離ローラー３６を第２給送ローラー３４と接触させてニップ状態を形成する切換手段８２を備えている。
【００９５】
上記構成によれば、切換手段８２は、シャッター５４が許容状態から規制状態に切換えられる際、分離ローラー３６を第２給送ローラー３４から離間させてニップ状態を解消し、シャッター５４が規制状態から許容状態に切換えられる際、分離ローラー３６を第２給送ローラー３４と接触させてニップ状態を形成する。すなわち、切換手段８２は、用紙Ｐの非搬送時において第２給送ローラー３４と分離ローラー３６とを離間させる。そして、離間状態における分離ローラー３６には押圧力が作用しないので、分離ローラー３６の変形をより確実に抑制できる。
【００９６】
また、画像読取装置１０は、シャッター５４に対して搬送方向上流側に設けられた第１用紙検出部３０を備え、シャッター５４は、第１用紙検出部３０における用紙Ｐの検出に応じて、規制状態と許容状態とを切換える。
【００９７】
また、画像読取装置１０は、駆動モーター６０により回転させられるカム６４、８０と、カム６４、８０の回転に応じてカム６４、８０に対する係合状態と非係合状態とが切換えられ、少なくとも一部がシャッター５４と係合している被係合部材５８、７６と、を備えている。被係合部材５８、７６は、カム６４，８０との係合状態と非係合状態との切換に応じて、シャッター５４の規制状態と許容状態とを切換える。
【００９８】
上記構成によれば、被係合部材５８、７６は、カム６４、８０との係合状態と非係合状態との切換に応じて、シャッター５４の規制状態と許容状態とを切換えるので、シャッター５４の状態切換えを確実に行うことができる。
【００９９】
また、画像読取装置１０は、駆動モーター６０により回転させられるカム６４と、カム６４の回転に応じてカム６４に対する係合状態と非係合状態とが切換えられ、少なくとも一部がシャッター５４と係合している被係合部材５８と、を備えている。付勢力調整手段６６は、カム６４と同軸で回転する第１歯車６２と、第１歯車６２と噛合する第２歯車６８と、第２歯車６８と噛合し、付勢手段７２を押圧する押圧部材７０と、を備えている。被係合部材５８は、カム６４との係合状態と非係合状態との切換に応じて姿勢変化し、シャッター５４の規制状態と許容状態とを切換え、付勢力調整手段６６は、第１歯車６２及び第２歯車６８の回転に応じて押圧部材７０を変位させ、付勢手段７２の付勢力を増減させる。
【０１００】
上記構成によれば、シャッター５４及び付勢力調整手段６６はカム６４が駆動されることにより動作することから、単一の駆動モーター６０で駆動させることができ、装置の構成を簡素化できる。
【０１０１】
また、画像読取装置１０は、駆動モーター６０により回転させられるカム部材７８と、カム部材７８の回転に応じてカム部材７８に対する係合状態と非係合状態とが切換えられ、一方の側がシャッター５４と係合し、他方の側が付勢手段７２と係合している被係合部材７６と、を備えている。被係合部材７６は、カム部材７８との係合状態と非係合状態との切換に応じて姿勢変化し、シャッター５４の規制状態と許容状態とを切換え、かつ、付勢手段７２の付勢力を増減させる。
【０１０２】
上記構成によれば、被係合部材７６の動作によりシャッター５４の動作及び付勢手段７２の付勢力の増減を制御でき、画像読取装置１０の構造を簡素化できる。
【０１０３】
また、画像読取装置１０は、分離ローラー３６より搬送方向上流側に延びる経路形成部材５２と、経路形成部材５２においてシャッター５４と対向する部位に設けられた凹状部５６と、を備えている。凹状部５６は、規制状態におけるシャッター５４の下端を受け入れている。
【０１０４】
上記構成によれば、凹状部５６は規制状態におけるシャッター５４の下端を受け入れているので、規制状態において、用紙Ｐが第２給送ローラー３４と分離ローラー３６とのニップ点に向けて入り込むことをシャッター５４が確実に規制できる。
【０１０５】
媒体搬送装置の一例である画像読取装置１０は、第２給送ローラー３４により搬送される用紙Ｐを読取可能な画像読取部４０を備えている。
【０１０６】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【０１０７】
１０…画像読取装置、１２…下部ユニット、１４…上部ユニット、１６…カバー部、１６ａ…裏面、１８…排紙トレイ、２０…給送口、２２…載置部、２３…操作部、２４…排出口、２６…用紙搬送経路、２８…第１給送ローラー、３０…第１用紙検出部、３０ａ…レバー部材、３２…重送検出センサー、３４…第２給送ローラー、３６…分離ローラー、３８…搬送ローラー対、３８ａ…搬送駆動ローラー、３８ｂ…搬送従動ローラー、４０…画像読取部、４２…排出ローラー対、４２ａ…排出駆動ローラー、４２ｂ…排出従動ローラー、４４…第２用紙検出部、４６…上部画像読取センサー、４８…下部画像読取センサー、５０…制御部、５２…経路形成部材、５４…シャッター、５４ａ…係合部、５６…凹状部、
５８、７６…被係合部材、５８ａ、７６ａ…一端部、５８ｂ、７６ｂ…他端部、６０…駆動モーター、６２…第１歯車、６４、８０…カム、６６、７４…付勢力調整手段、６８…第２歯車、７０…押圧部材、７２…付勢手段、７６ｃ…揺動軸、７８…カム部材、８２…切換手段、８４…ローラー変位部材、Ｐ…用紙、Ｓ１、Ｓ２、Ｓ３、Ｓ４、Ｓ５、Ｓ６、Ｓ７、Ｓ８、Ｓ９、Ｓ１０、Ｓ１１、Ｓ１２…ステップ
【図１】
0006645125.tif 000002
【図２】
0006645125.tif 000003
【図３】
0006645125.tif 000004
【図４】
0006645125.tif 000005
【図５】
0006645125.tif 000006
【図６】
0006645125.tif 000007
【図７】
0006645125.tif 000008
【図８】
0006645125.tif 000009
【図９】
0006645125.tif 000010
【図１０】
0006645125.tif 000011
【図１１】
0006645125.tif 000012
【図１２】
0006645125.tif 000013
【図１３】
0006645125.tif 000014